(57)【要約】【課題】足部に疾患のある人のプールを利用したリハビリテーション運動の際に着用し、足にフィットし軽量かつ足に負担を掛けることのない、滑りにくい安全なリハビリテーション用のサンダルの提供。【解決手段】甲皮部３と甲側部４とかかと部５と底部２の内側部からなる本体をからサンダルを形成し、甲皮部３は底部２の内側部の前端６と連設して折返し部７で上部後方へ折り返して足甲を覆い、折返し部７を鼻緒に形成し、甲皮部の先端８の中央部９に設けた凹み１０の両端に甲側部４と係合する係止片１１を形成し、底部２の内側部の両側部および後部に連設して立ち上がる甲側部４とかかと部５を形成し、底部２の内側部に二重底のポケット部１２を設け、底部の裏側面１４にグリップ性能に優れたシート材１５を設けたリハビリテーション用サンダル１。【選択図】　　　　図１
2004057582.tif 000002
【特許請求の範囲】
【請求項１】
底部と甲皮部と甲側部とかかと部からなり、足指を露出して履くサンダルにおいて、甲皮部と甲側部とかかと部と底部の内側部から本体を形成し、本体の甲皮部は底部の内側部の前端と連続する折返し部で上部後方へ折り返されて足甲を覆う甲皮部に形成され、その折返し部は指間に通す鼻緒に形成され、折り返した甲皮部の先端は中央部に凹みを有し、その両端が側方に延びて甲側部に重なり係止する係止片に形成され、かつ、本体の甲側部とかかと部は底部の内側部の両側部および後部から連続して立ち上がって甲側部とかかと部に形成され、底部の内側部は二重底のポケット部を有し、かつ、底部の裏側面はグリップ性能に優れた弾性小突起部を全面に形成したシート材からなることを特徴とするリハビリテーション用サンダル。
【請求項２】
本体は表側をジャージのストレッチ生地とし内部をゴムシートとするウェットスーツ用の合わせ素材から形成していることを特徴とする請求項１に記載のリハビリテーション用サンダル。
【請求項３】
本体は表側をポリエステル繊維やウレタン繊維などからなるストレッチ生地とし内部をウレタンスポンジ等のスポンジ素材からなる合わせ素材あるいはタンニン鞣皮などから形成していることを特徴とする請求項１に記載のリハビリテーション用サンダル。
【請求項４】
折返し部の鼻緒は折返し部の中央に第２指、第３指、第４指を通す指穴を開口しこの指穴の両側により形成し、折返し部を折り返した際に甲側部前端と折返し部の両側間に形成される左右の指穴の一方の指穴を第１指を通す指穴に他方の指穴を第５指を通す指穴としていることを特徴とする請求項１〜３のいずれか１項に記載のリハビリテーション用サンダル。
【請求項５】
折返し部の鼻緒は折返し部の左右の一方を大きく凹め他方を小さく凹め、折返し部を折り返した際に甲側部前端と折返し部の両側間に形成される左右の穴の一方の小穴を第１指を通す穴に他方の大穴を第２指、第３指、第４指および第５指を通す穴としていることを特徴とする請求項１〜３のいずれか１項に記載のリハビリテーション用サンダル。
【請求項６】
かかと部はその中央にかかとを露出するかかと穴を形成していることを特徴とする請求項１〜５のいずれか１項に記載のリハビリテーション用サンダル。
【請求項７】
甲皮部の係止片とその折返し時に重なり係止される甲側部の部分に平面ファスナーの係合用突起部と係合用受け部をそれぞれ形成していることを特徴とする請求項１〜６のいずれか１項に記載のリハビリテーション用サンダル。
【発明の詳細な説明】
【０００１】
【発明の属する技術分野】
本発明は、身障者あるいは足部に疾患のある人が、例えば凹足、偏平足、関節性リウマチ、たこ、うおの目などの疾患を足部にある人が、リハビリテーションの際に履くサンダルに関し、特にプールを利用したリハビリテーションの際にプール内あるいはプールサイドで履くサンダルに関するもにである。
【０００２】
【従来の技術】
身障者あるいは足部に疾患のある人、例えば凹足、偏平足、関節性リウマチ、たこ、うおの目などの疾患を足部にある人は全身の運動、特に身体の筋力を向上させるために水の抵抗あるいは水の浮力を利用してプール内で運動している。
【０００３】
このようなプール内を利用した運動を行う際に、身障者あるいは足部に疾患のある人達は、通常素足でプールサイドを歩行したりプール内に入って運動をしてリハビリテーションを行っている。ところで、このよう人達のうち、特に足腰に疾患のある人はプールサイドやプール内を素足で歩行するだけで、足裏すなわち足底部に痛みや違和感を覚え、適正なリハビリテーションが行えない問題がある。
【０００４】
このような素足における足裏の痛みを回避し違和感を無くすために、海水浴場において砂浜で履くゴム製やプラスチック製のぞうりやサンダルなどを履くこともあるが、これらのぞうりやサンダルは通常の健常者が着用するものであり、通常のこれらのぞうりやサンダルは履いていても脱げやすく足と一体感がなく、ときには足先を締めつけたり重量があって足先に負担を掛けることがあり、特に身障者あるいは足部に疾患のある人達がこのような足先や足裏に負担を覚えることなく、かつ、プールサイドで水により滑ることなくリハビリテーション用に使用できるようなものではなかった。
【０００５】
【発明が解決しようとする課題】
本発明は、上記の従来の問題点を解決するもので、身障者あるいは足部に疾患のある人達がプールを利用したリハビリテーション運動の際に着用して、足と一体感があり、かつ、軽量であって足先や足裏に負担を掛けることなく、そして、水で滑り易いプールサイドでも容易に滑ることなく安全であるリハビリテーション用のサンダルを提供することである。
【０００６】
【課題を解決するための手段】
上記の課題を解決するための本発明の手段は、請求項１の発明では、底部と甲皮部と甲側部とかかと部からなり、足指を露出して履くサンダルにおいて、甲皮部と甲側部とかかと部と底部の内側部から本体を形成し、本体の甲皮部は底部の内側部の前端と連続する折返し部で上部後方へ折り返されて足甲を覆う甲皮部に形成され、その折返し部は指間に通す鼻緒に形成され、折り返した甲皮部の先端は中央部に凹みを有し、その両端が側方に延びて甲側部に重なり係止する係止片に形成され、かつ、本体の甲側部とかかと部は底部の内側部の両側部および後部から連続して立ち上がって甲側部とかかと部に形成され、底部の内側部は二重底のポケット部を有し、かつ、底部の裏側面はグリップ性能に優れた弾性小突起部を全面に形成したシート材からなることを特徴とするリハビリテーション用サンダルである。
【０００７】
請求項２の発明では、本体は表側をジャージと内側をゴムとするウェットスーツ用の合わせ素材から形成していることを特徴とする請求項１の手段のリハビリテーション用サンダルである。
【０００８】
請求項３の発明では、本体は表側をポリエステル繊維やウレタン繊維などからなるストレッチ生地とし内部をウレタンスポンジ等のスポンジ素材からなる合わせ素材あるいはタンニン鞣皮などから形成していることを特徴とする請求項１の手段のリハビリテーション用サンダルである。
【０００９】
請求項４の発明では、折返し部の鼻緒は折返し部の中央に第２指、第３指、第４指を通す指穴を開口しこの指穴の両側により形成し、折返し部を折り返した際に甲側部前端と折返し部の両側間に形成される左右の指穴の一方の指穴を第１指を通す指穴に他方の指穴を第５指を通す指穴としていることを特徴とする請求項１〜３のいずれか１項の手段のリハビリテーション用サンダルである。
【００１０】
請求項５の発明では、折返し部の鼻緒は折返し部の左右の一方を大きく凹め他方を小さく凹め、折返し部を折り返した際に甲側部前端と折返し部の両側間に形成される左右の穴の一方の小穴を第１指を通す穴に他方の大穴を第２指、第３指、第４指および第５指を通す穴としていることを特徴とする請求項１〜３のいずれか１項の手段のリハビリテーション用サンダルである。
【００１１】
請求項６の発明では、かかと部はその中央にかかとを露出するかかと穴を形成していることを特徴とする請求項１〜５のいずれか１項の手段のリハビリテーション用サンダルである。
【００１２】
請求項７の発明では、甲皮部の係止片とその折返し時に重なり係止される甲側部の部分に平面ファスナーの係合用突起部と係合用受け部をそれぞれ形成していることを特徴とする請求項１〜６のいずれか１項の手段のリハビリテーション用サンダルである。
【００１３】
本発明のリハビリテーション用サンダルの作用を列挙すると、１）足に負担を掛けることが減少されているので、プール内に限らず、プールサイドやその周囲の硬いグラウンドや床面を歩行する際にも着用することができる。
【００１４】
２）リハビリテーション用サンダルの底部の内側部にポケットを配設しているので、このポケットにウレタンスポンジなどの衝撃吸収材や通常の靴に挿着されているシリコンゴム製の足を支える足底挿板を自在にその着用者の足裏の状況に挿入量を適合させて挿入することができるため、足への負担が一層に緩和され、痛みや、違和感を覚えることなく装着して歩行やリハビリテーション運動ができる。
【００１５】
３）本発明の第１の形態のリハビリテーション用サンダルは、第２の形態の第１指と第２指の指間に鼻緒を設けたリハビリテーション用サンダルと異なり、足の第１指と第２指の指間および、第４指と第５指の指間にサンダルの靴底と甲皮部を連繋部であるいわゆる鼻緒を挿通して足の甲をその上部を覆うサンダルの甲皮部でサポートして足の甲を固定することにより、足先を締めつけることなく、かつ、各足指の反射運動を損ねることなく自在とし、足を緊締してくるむようにサポートしているので安定した歩行やリハビリテーションをすることができる。
【００１６】
４）かかと部に足のかかとの後端が露出する穴を設けているものは、この穴に足のかかとの後端が係合してサンダルがより緊密に吸いつくように足とより一体化して装着できるので、より一層に違和感が無く装着してリハビリテーションできる。
【００１７】
５）本発明の第２の形態のリハビリテーション用サンダルは第１指と第２指の指間に鼻緒を設けており、第２指から第５指までが一括して保持されているものであり、第２指から第５指までを一括保持しても足指に負担を覚えることのない人達が着用するものであるが、この場合も各足指の反射運動を損ねることなく自在とし、第１の形態のリハビリテーション用サンダルと同様に足を緊締してくるむようにサポートしているので安定した歩行やリハビリテーションをすることができる。
【００１８】
６）甲皮部が展開自在で折り返して足甲を包み込むようにして係止でき、かつ、平面ファスナーで甲皮部と甲側部を係合するので足部に疾患のある人でも極めて容易に履いたり脱いだり装着できる。
【００１９】
７）リハビリテーション用サンダルの靴底にスポーツ用スパイク靴などに用いられる弾性小突起部を全面に有するハイグリップソールを採用することによりプールの水中内あるいは濡れたプールサイドでのグリップ力を高めているので、水の抵抗や浮力などを無駄なく身体に伝えることができる。
【００２０】
本発明のリハビリテーション用サンダルは、以上に説明したような作用を有するので、リハビリテーションを必要とする身障者あるいは足部に疾患のある人が足に着用することにより、リハビリテーション用のプール内での水中運動の利点を無駄なく身体に取り入れることができるものである。
【００２１】
【発明の実施の形態】
本発明の実施の形態を図面を参照して説明する。図１は本発明の１実施の形態のリハビリテーション用サンダルの斜視図である。図２は図１に示すリハビリテーション用サンダルの甲皮部を展開して示す斜視図である。図３は図２に示す甲皮部を展開したリハビリテーション用サンダルの底部裏面側から見た平面図である。図４は本発明の他の実施の形態のリハビリテーション用サンダルの斜視図である。図５は図４に示すリハビリテーション用サンダルの甲皮部を展開して示す斜視図である。図６は図５に示す甲皮部を展開したリハビリテーション用サンダルの底部裏面側から見た平面図である。図７は図２の矢視Ａ−Ａの切断端面を示すリハビリテーション用サンダルの構造図である。
【００２２】
図面の図１〜３と図４〜６に示すように、本発明のリハビリテーション用サンダル１は底部２と甲皮部３と甲側部４とかかと部５からなり、足指とこれらの実施の形態ではかかとを露出して履くリハビリテーション用サンダル１である。これらのリハビリテーション用サンダル１において、甲皮部３と甲側部４とかかと部５と底部２の内側部からリハビリテーション用サンダル１の本体が形成されている。この本体の甲皮部３は底部２の内側部の前端６と連続している折返し部７でこのリハビリテーション用サンダル１を装着する際に装着する人の足甲の上部後方へ折り返され、足甲を覆う甲皮部３に形成されている。
【００２３】
上記した本体を形成する素材は、例えば、図７に示すように、表側をジャージ１８と内側をゴム１９とするウェットスーツ用の合わせ素材１７から形成している。さらに、他の例では、表側をポリエステル繊維やウレタン繊維などからなるストレッチ生地とし内部をウレタンスポンジ等のスポンジ素材とする合わせ素材（この素材は図示していない。）から形成している。さらに他の例では、タンニン鞣皮などの例えばコルセットなどに使用するメッシュの柔軟性に富み、かつ、プールの水に浸かってもプールの水を汚染することはない素材とする。特に鞣皮の場合は環境汚染が問題となるクロム鞣皮は使用することなく、汚染の問題のないタンニン鞣皮とする。
【００２４】
底部２の前端６と甲皮部３を連続する折返し部７は細い帯状に形成している。
この折返し部７はこのリハビリテーション用サンダル１を装着するとき装着者の指の間に通すための鼻緒とされる部分である。折り返した甲皮部３の後部の先端８はその中央部９を凹み１０に形成している。甲皮部３の先端８の両端は側方に延ばして甲側部４、４に重なる長さとし、甲側部４、４に係止するための係止片１１に形成している。これらの係止部分には平面ファスナー２７を設け、これらにより係止するものとする。
【００２５】
さらに、このリハビリテーション用サンダル１の甲側部４とかかと部５は底部２の内側部の両側部および後部から連続して立ち上げて甲側部４とかかと部５に形成されている。底部２の内側部にはその前方にポケット入口１３を有し、底皮３０と底部２の内側部すなわち中底との間で二重底のポケット部１２が形成されている。このポケット部１２にウレタンスポンジなどの衝撃吸収材やシリコンゴム製の足底挿板を挿入して、足裏からの衝撃を和らげ、かつ足裏の痛みを緩和して違和感無く歩行運動が出来るものとする。これらの衝撃吸収材や足底挿板の挿入量は装着する人の体感に合わせて適宜挿入するものとする。
【００２６】
さらに、本体の底部２の裏側面１４にはグリップ性能に優れた弾性小突起部１６を全面に形成したシート材１５を貼っている。このシート材１５は、Ｄ．Ｓ．Ｐシートとして市販されているもので、布や人工皮革の基布状に繊細な模様のゴム状の弾性小突起部１６を形成したシートで、比較的肉厚なゴム状弾性小突起部１６が形成されたシートの総称としてＤ．Ｓ．Ｐシートといわれているものである。なお図７では、これらの弾性小突起部１６は省略して図示していない。
【００２７】
このＤ．Ｓ．Ｐシートは、例えばウレタン樹脂と基布との複合シートから形成されているため、従来の靴底とされるラバーシートに比較して軽量である。さらに弾性小突起部１６はやはりウレタン樹脂からなり、衝突混合スプレー法により金型に充填して形成されているために微細な気泡を全面に有している。そのため優れたグリップ性（トラクション効果：良好な滑り係数）を有する。さらに、このＤ．Ｓ．Ｐシートは耐摩耗性が従来のシューズ用アウトソールラバーとほぼ同等の値を示し、一般物性に優れており、トラクション効果の滑り係数においても、静止滑り係数がラバー製品と比べてやや小さいがスポーツシューズに適した範囲の０．７〜０．９内の０．８１４にあり、さらに動滑り係数は小さいほど滑りはじめると簡単に滑るものであり、このため動滑り係数は大きいほうが好ましいが、本発明に使用するＤ．Ｓ．Ｐシートはラバー製品の０．４６６に比べてこの値が０．６０９と大きく優れており、しかもその値は静止滑り係数とほぼ同様の値を示す点が特徴である。
【００２８】
請求項２に係る発明の実施の形態としては、上記し、かつ、図７に示すように、本体は表側をジャージ１８と内側をゴム１９とするウェットスーツ用の合わせ素材１７から形成されている。
【００２９】
請求項３に係る発明の実施の形態としては、折返し部７の鼻緒はリハビリテーション用サンダル１の前端の左右に２本が形成されているものであり、図１〜３に示すものである。これら２本の折返し部７、７の中央にはリハビリテーション用サンダル１を履いたときに第２指、第３指、第４指を挿通する指穴２０を開口している。つまりこの指穴２０の両側に２本の鼻緒となる折返し部７、７が形成されている。折返し部７、７を折り返した際に、両側の甲側部前端２１、２１と折返し部７、７の両側間に第１指を通す指穴２２と他方に第５指を通す指穴２３に形成される。このように２本の鼻緒の部分を形成していることで、指先部が通常のサンダルなどを着用したときに締めつけられることはなく、指間が十分に保たれ足指の反射運動が損なわれることなく安定して歩行をすることができる。
【００３０】
請求項４に係る発明の実施の形態では、図４〜図６に見られるように、折返し部７の鼻緒は請求項３に係る発明と異なり１本から形成されているものである。
つまり、折返し部７の左右の側部の一方側を大きく凹めて凹部２４に形成して、折り返した際に第２指から第５指の４本の指が余裕をもって挿入することのできる大穴２６を甲側部の前端１１との間で形成し、他方を小さく凹めた凹部２５に形成して第１指の１本の指を挿入する小穴２５を甲側部の前端１１との間で形成するものとしている。
【００３１】
請求項５に係る発明の実施の形態では、図１、図２あるいは図４、図５に見られるように、かかと部５はその中央にかかとを露出するかかと穴２６を形成している。このかかと穴２６から挿着した足のかかとが露出してかかと部５と係合するのでリハビリテーション用サンダル１と足とがさらに一体感が増すこととなり、運動性能が一層に向上する。
【００３２】
請求項６に係る発明の実施の形態では、甲皮部３の係止片１１とその折返し時に重なり係止される甲側部４の部分に平面ファスナー２７の係合用突起部と係合用受け部をそれぞれ形成しているリハビリテーション用サンダル１である。さらに、このリハビリテーション用サンダル１を装着する人の甲によりフィットして留めるために、甲皮部３の係止片１１が折返し時に重なり係止される甲側部４の係止部２９の一方から他の側の甲側部４に延びる帯状の内部甲皮２８を形成している。上記の実施の形態に示す図ではいずれも内部甲皮２８を設けた例を示している。この内部甲皮２８にも平面ファスナー２７を設けて装着を容易とするものとする。
【００３３】
ところで、甲皮部３の係止部１１あるいは内部甲皮２８と、甲側部４の係止部２９の平面ファスナー２７による係止は、甲側部４の係止部２９の素材が本来ループ状などの引っ掛かり部分を有する素材、例えばジャージ、で形成されているある場合は、このものは平面ファスナー２７の係合受けループ材の働きをするので、特に平面ファスナー２７の係合受けループ材を設ける必要はない。
【００３４】
図７は、図２に示す図の矢視Ａ−Ａで切断したリハビリテーション用サンダル１の端面を示す図で、底部２は本体の底部の裏側面１４にシート材１５を貼着して形成しており、さらに本体の底部２の内側とその上に空間のポケット部１２を設けて底皮３０で二重底に形成されている。さらに底部２から立ち上がる本体のジャージ１８とゴム１９の合わせ素材１７からなる甲側部４、４が形成されており、それらの一方の甲側部４には内部甲皮２８が連設されている。なお、この図７ではシート材１５の弾性小突起部１６および甲側部４、４並びに内部甲皮２８には平面ファスナーが設けられているが記載を省略している。
【００３５】
【発明の効果】
以上に説明したように、本発明は身体障害者、特に足部に疾患のある人が、リハビリテーションのためにプールで歩行などの運動をする際に着用するリハビリテーション用サンダルであり、素材を軽量でかつ水に濡れた床面で滑りにくく、かつ、水を汚染することのない素材から形成し、さらに、足指を締めつけることなく装着できる構造としていることで、装着する人の足に掛かる負担を緩和して痛みを和らげ、しかも、装着時に足との一体感のあるものとすることで、装着した人の運動機能を高めるなど優れた効果を奏することのできるリハビリテーション用サンダルである。
【図面の簡単な説明】
【図１】本発明の１実施の形態のリハビリテーション用サンダルの斜視図である。
【図２】図１に示すリハビリテーション用サンダルの甲皮部を展開して示す斜視図である。
【図３】図２に示す甲皮部を展開したリハビリテーション用サンダルの底部裏面側から見た平面図である。
【図４】本発明の他の実施の形態のリハビリテーション用サンダルの斜視図である。
【図５】図４に示すリハビリテーション用サンダルの甲皮部を展開して示す斜視図である。
【図６】図５に示す甲皮部を展開したリハビリテーション用サンダルの底部裏面側から見た平面図である。
【図７】図２の矢視Ａ−Ａの切断端面を示すリハビリテーション用サンダルの構造図である。
【符号の説明】
１　リハビリテーション用サンダル
２　底部
３　甲皮部
４　甲側部
５　かかと部
６　前端
７　折返し部
８　先端
９　中央部
１０　凹み
１１　係止部
１２　ポケット部
１３　ポケット入口
１４　裏側面
１５　シート材
１６　弾性小突起部
１７　合わせ素材
１８　ジャージ
１９　ゴム
２０　指穴
２１　前端
２２　指穴
２３　指穴
２４　凹部
２５　小穴
２６　かかと穴
２７　平面ファスナー
２８　内部甲皮
２９　係止部
３０　底皮
【図１】
2004057582.tif 000003
【図２】
2004057582.tif 000004
【図３】
2004057582.tif 000005
【図４】
2004057582.tif 000006
【図５】
2004057582.tif 000007
【図６】
2004057582.tif 000008
【図７】
2004057582.tif 000009